(57)【要約】【課題】      １つの表示パネルにより両面表示が可能な電気光学装置を提供する。【解決手段】  電気光学装置は、例えば一対の基板間に液晶を封入した液晶表示パネルを用いた半透過反射型の液晶表示装置とすることができる。電気光学パネルの外面にはそれぞれ偏光板が取り付けられ、その外面にはそれぞれ光源としてのフロントライトユニットが設けられる。これにより、電気光学パネルの一方の面側から見た場合、同じ側のフロントライトユニットを点灯して反射表示を行うことができるとともに、反対側のフロントライトユニットを点灯して透過表示を行うことができる。また、電気光学パネルの他方の面側から見た場合も、反対側のフロントライトユニットを点灯すれば透過表示を行うことができる。よって、１つの電気光学パネルと、その両面側に設けた一対のフロントライトユニットとの組み合わせにより、両面表示が可能となる。【選択図】    図２
2005092046.tif 000002
【特許請求の範囲】
【請求項１】
一対の基板間に電気光学物質を挟持してなる電気光学パネルと、
前記各基板の外面に貼付された一対の偏光板と、
前記一対の偏光板の外面に取り付られた一対のフロントライトユニットと、を備えることを特徴とする電気光学装置。
【請求項２】
前記電気光学パネルは、前記基板の一方に、複数の開口部を有する反射膜が設けられていることを特徴とする請求項１に記載の電気光学装置。
【請求項３】
前記反射膜が設けられた基板と反対の基板側の前記フロントライトユニットは、前記反射膜が設けられた基板側の前記フロントライトユニットより照明面積が小さいことを特徴とする請求項２に記載の電気光学装置。
【請求項４】
前記反射膜が設けられた基板と反対の基板側の前記フロントライトユニットは、前記反射膜が設けられた基板側の前記フロントライトユニットより照明面積が小さい複数のフロントライトユニットにより構成されていることを特徴とする請求項２に記載の電気光学装置。
【請求項５】
本体と、前記本体に対して開閉可能に取り付けられた表示ユニットと、前記表示ユニット内に設けられた電気光学装置と、を備え、
前記電気光学装置は、
一対の基板間に電気光学物質を挟持してなる電気光学パネルと、
前記各基板の外面に貼付された一対の偏光板と、
前記一対の偏光板の外面に取り付られた一対のフロントライトユニットと、
を備え、
前記フロントライトユニットの一方は前記表示ユニットを閉じた状態で外部に露出する外面側に位置し、前記フロントライトユニットの他方は前記表示ユニットを開いた状態で露出する内面側に位置するように、前記電気光学装置が前記表示ユニット内に収容されていることを特徴とする電子機器。
【請求項６】
前記表示ユニットが閉じた状態では前記一対のフロントライトユニットの双方を消灯し、前記表示ユニットが開いた状態では前記外面側に位置するフロントライトユニットを点灯させる制御部をさらに備えることを特徴とする請求項５に記載の電子機器。
【請求項７】
前記制御部は、前記表示ユニットが閉じられてから所定時間内は、前記内面側又は外面側に位置するフロントライトユニットのいずれか一方を点灯することを特徴とする請求項６に記載の電子機器。
【請求項８】
前記表示ユニットが開いた状態と閉じた状態のうち一方の状態では表示画像データをそのまま前記電気光学パネルに供給し、他方の状態では前記表示画像データを反転して前記電気光学パネルに供給するデータ処理部を備えることを特徴とする請求項６に記載の電子機器。
【発明の詳細な説明】
【技術分野】
【０００１】
本発明は、液晶表示装置などの電気光学装置に関し、特に両面表示が可能な電気光学装置に関する。
【背景技術】
【０００２】
携帯電話、ＰＤＡ（Personal Digital Assistant）などの携帯型情報端末では、表示装置として、軽量、小型の液晶表示装置がよく利用されている。近年では、折り畳み型の携帯電話などにおいて、両面表示が可能なものが知られている。即ち、各種操作ボタンなどが設けられた本体に対して、蝶番式などの可動機構により表示ユニットが開閉可能に構成されている。表示ユニットは、本体の操作ボタン面と対向する内面側、及びそれと逆の外面側にそれぞれ液晶表示部が設けられている。通常の使用状態（即ち、表示ユニットを開いた状態）では、各種操作ボタンなどともに内面側の液晶表示部が露出する。一方、携帯電話を折り畳んだ状態（即ち、表示パネルユニットを閉じた状態）では、外面側の液晶表示部のみが露出する。
【０００３】
このような両面表示型の携帯電話では、表示パネルユニット内に一対の表示パネルを背中合わせに収容しているため、携帯電話自体がその分肉厚となる。また、表示制御を行うための駆動回路や表示データの処理回路なども個別に必要となるため、構成が複雑となり、装置の小型化、薄型化が難しい。
【発明の開示】
【発明が解決しようとする課題】
【０００４】
本発明は以上の点に鑑みてなされたものであり、１つの表示パネルにより両面表示が可能な電気光学装置を提供することを課題とする。
【課題を解決するための手段】
【０００５】
本発明の１つの観点では、電気光学装置は、一対の基板間に電気光学物質を挟持してなる電気光学パネルと、前記各基板の外面に貼付された一対の偏光板と、前記一対の偏光板の外面に取り付けられた一対のフロントライトユニットと、を備える。
【０００６】
上記の電気光学装置は、例えば一対の基板間に液晶を封入した液晶表示パネルを用いた液晶表示装置などとすることができる。電気光学パネルの外面にはそれぞれ偏光板が取り付けられ、その外面にはそれぞれ光源としてのフロントライトユニットが設けられる。これにより、電気光学パネルのいずれの面側から見ても、明るい表示が可能となる。よって、１つの電気光学パネルと、その両面側に設けた一対のフロントライトユニットとの組み合わせにより、両面表示が可能となる。
【０００７】
上記の電気光学パネルは、前記基板の一方に、複数の開口部を有する反射膜を設けることができる。これにより、電気光学パネルの一方の面側から見た場合、同じ側のフロントライトユニットを点灯して明るい反射表示を行うことができるとともに、反対側のフロントライトユニットを点灯して透過表示を行うことができる。また、電気光学パネルの他方の面側から見た場合も、反対側のフロントライトユニットを点灯すれば透過表示を行うことができる。さらに、両方のフロントライトユニットを消灯した場合でも、自然光による反射表示が可能となる。
【０００８】
上記の電気光学装置の一態様では、前記反射膜が設けられた基板と反対の基板側の前記フロントライトユニットは、前記反射膜が設けられた基板側の前記フロントライトユニットより照明面積を小さくすることができる。これにより、両面が異なる大きさの表示領域を持つ電気光学装置を提供することができる。
【０００９】
上記の電気光学装置の他の一態様では、前記反射膜が設けられた基板と反対の基板側の前記フロントライトユニットは、前記反射膜が設けられた基板側の前記フロントライトユニットより照明面積が小さい複数のフロントライトユニットにより構成することができる。
【００１０】
この態様では、一方の面側のフロントライトユニットを複数のフロントライトユニットの組み合わせで構成するので、全てのフロントライトユニットを点灯して全面の透過表示を行うことができるとともに、一部のフロントライトユニットのみを点灯して小さい表示領域の表示を消費電力の無駄なく実施することができる。
【００１１】
本発明の他の観点では、電子機器は、本体と、前記本体に対して開閉可能に取り付けられた表示ユニットと、前記表示ユニット内に設けられた電気光学装置と、を備え、前記電気光学装置は、一対の基板間に電気光学物質を挟持してなる電気光学パネルと、前記各基板の外面に貼付された一対の偏光板と、前記一対の偏光板の外面に取り付られた一対のフロントライトユニットと、備え、前記フロントライトユニットの一方は前記表示ユニットを閉じた状態で外部に露出する外面側に位置し、前記フロントライトユニットの他方は前記表示ユニットを開いた状態で露出する内面側に位置するように、前記電気光学装置が前記表示ユニットに収容されている。
【００１２】
上記の電子機器は、例えば両面表示が可能な折り畳み式携帯電話などとすることができ、一般的に操作ボタンなどが設けられる本体と、その本体に対して開閉可能に設けられた表示ユニットとを備え、表示ユニット内に液晶表示装置などの電気光学装置を収容してなる。電気光学装置は、液晶表示パネルなどの電気光学パネルの外面に一対の偏光板を設け、その外面に一対のフロントライトユニットを設ける。フロントライトユニットの点灯制御により、希望する面側の画像表示が行われる。具体的には、表示ユニットを閉じた状態（即ち、折り畳み状態）では表示ユニットの外側面のみが露出し、表示ユニットを開いた状態（即ち、通常使用状態）では表示ユニットの内側面も露出する。よって、利用者はいずれの状態でも表示画面を見ることができる。
【００１３】
上記の電子機器の一態様では、前記表示ユニットを閉じた状態では前記一対のフロントライトユニットの双方を消灯し、前記表示ユニットを開いた状態では前記外面側に位置するフロントライトユニットを点灯させる制御部をさらに備えることができる。これにより、折り畳み状態では外面側の表示部により自然光による反射表示のみを可能として、消費電力の低減を図ることができる。一方、通常使用状態では、フロントライトユニットを点灯させることにより、内面側の表示部を明るく表示することが可能となる。
【００１４】
上記の電子機器の一態様では、前記制御部は、前記表示ユニットを閉じてから所定時間内は、前記内面側に位置するフロントライトユニットを点灯することができる。折り畳み状態では、低消費電極化のために原則として自然光による反射表示のみとするが、例えば折り畳み作業の直後などは時間を限定してフロントライトユニットを点灯し、明るい表示を行うこともできる。
【００１５】
上記の電子機器の一態様では、前記表示ユニットが開いた状態と閉じた状態のうち一方の状態では表示画像データをそのまま前記電気光学パネルに供給し、他方の状態では前記表示画像データを反転して前記電気光学パネルに供給するデータ処理部を備えることができる。これにより、表示ユニットの内面側及び外面側のいずれの方向から見た場合でも、表示画像を正しい方向で見ることが可能となる。
【発明を実施するための最良の形態】
【００１６】
以下、図面を参照して本発明の好適な実施形態について説明する。なお、以下の説明では、電気光学装置の一例として、液晶表示装置の実施形態について説明する。
【００１７】
［第１実施形態］
まず、本発明を適用した液晶表示装置の第１実施形態を説明する。図１は、本実施形態による液晶表示装置１の概略構成を示す分解斜視図である。図示のように、液晶表示装置１は、１つの液晶表示パネル１０の上下に一対のフロントライトユニット３０ａ及び３０ｂを設けて構成される。なお、図１では分解状態を図示しているが、実際にはフロントライトユニット３０ａ及び３０ｂは液晶表示パネル１０に取り付けられて一体化される。
【００１８】
図２に、図１のＸ−Ｘ’断面における液晶表示装置１の断面図を示す。図示のように、液晶表示装置１は、液晶表示パネル１０と、その上下に取り付けられた一対のフロントライトユニット３０ａ及び３０ｂを備える。
【００１９】
液晶表示パネル１０は、ガラス基板などの一対の透明基板１１及び１２をシール材１６を介して貼り合わせ、その内部に液晶１９を封入してなる。この液晶表示パネル１０は、いわゆる半透過反射型であり、下側の基板１２上には太陽光や室内照明光などの外光を反射するための反射膜１４が設けられており、その反射膜１４には透過光を通過させるための複数の開口部１５が設けられている。また、反射膜１４の上には、カラー表示を可能とするためのＲＧＢ各色のカラーフィルタ１２が設けられている。また、透明基板１１及び１２の外面には、それぞれ偏光板１７及び１８が貼着されている。なお、上下の透明基板１１及び１２には、当該液晶表示パネル１２の駆動方式に応じた電極や、液晶分子の配向を制御するための配向膜などが形成されるが、それらの図示及び説明は省略する。
【００２０】
フロントライトユニット３０ａ及び３０ｂは、平板状の透明な光源ユニットであり、それぞれが液晶表示パネル１０に対して照明光を供給する。即ち、図中上側のフロントライトユニット３０ａは下方に照明光を照射し、図中下側のフロントライトユニット３０ｂは上方に照明光を照射する。
【００２１】
次に、液晶表示装置１による表示方法について説明する。
【００２２】
図２において、図中上方に示す観察者４０は、透過表示及び反射表示により表示画像を見ることができる。フロントライトユニット３０ａを消灯し、フロントライトユニット３０ｂを点灯させた状態では、経路Ｌ１に示すように、フロントライトユニット３０ｂから出射された照明光は液晶表示パネル１０の開口部１５を通過し、カラーフィルタ１３、液晶層１９などを通過して観察者４０に至る。これにより、観察者４０は、フロントライトユニット３０ｂの照明光により明るい透過表示を見ることができる。
【００２３】
フロントライトユニット３０ａを点灯し、フロントライトユニット３０ｂを消灯した場合、経路Ｌ１に示すような透過光はなくなる。しかし、経路Ｌ２に示すように、フロントライトユニット３０ａから出射した照明光は液晶層１９を通過して反射膜１４で反射され、再度液晶層１９を通過して観察者４０に至る。よって、観察者４０は、フロントライトユニット３０ａの照明光により、明るい反射表示を見ることができる。
【００２４】
また、フロントライトユニット３０ａ及び３０ｂの両方を消灯した場合でも、観察者４０側に太陽光、室内照明光、その他の外光が存在すれば、その外光が経路Ｌ３に従って液晶パネル１０に入り、反射膜１４で反射されて観察者４０に至るので、観察者４０は外光による通常の反射表示を見ることが可能である。
【００２５】
一方、図中下方に示す観察者４１は、フロントライトユニット３０ａによる透過表示を見ることができる。即ち、フロントライトユニット３０ａを点灯すると、そこからの照明光は経路Ｌ４に従って反射膜の開口部１５の部分から液晶表示パネル１０を通過して観察者４１に至る。こうして、観察者４１は明るい透過表示を見ることができる。但し、フロントライトユニット３０ａを消灯すると、基本的には、液晶表示パネル１０の液晶層１９を通過して観察者４１に至る照明光が無いので、観察者４１は液晶表示を見ることはできない。
【００２６】
次に、第１実施形態の液晶表示装置１を適用した電子機器の例を説明する。図３に、本実施形態の液晶表示装置１を適用した両面表示型の携帯電話６０の外観を示す。図３（ａ）は携帯電話６０を折り畳んだ状態を示し、図３（ｂ）は開いた状態（通常使用状態）を示す。携帯電話６０は、複数の操作ボタン６３が設けられた本体６１と、本体６１に対して蝶番機構６４などにより開閉可能に設けられた表示ユニット６２とを備える。
【００２７】
表示ユニット６２の内部に上述の液晶表示装置１が収容されている。液晶表示装置１のフロントライトユニット３０ａは図３（ａ）に示すように表示ユニット６２の外面側に配置され、フロントライトユニット３０ｂは図３（ｂ）に示すように表示ユニット６２の内面側に配置される。図３（ａ）に示すように、折り畳み状態、即ち表示ユニット６２を閉じた状態では、フロントライトユニット３０ａ側のみが露出する。一方、図３（ｂ）に示すように、表示ユニット６２を開いた通常使用状態では、フロントライトユニット３０ａ及び３０ｂの両方が露出するが、この状態では通常は使用者は内面側のフロントライトユニット３０ｂ側から表示画像を見ることになる。
【００２８】
次に、図３に示す携帯電話６０における２つのフロントライトユニット３０ａ及び３０ｂの点灯制御例について説明する。図４に、フロントライトユニット３０ａ及び３０ｂの点灯制御例を図表により示す。図３（ａ）に示すように表示ユニット６２を閉じた状態では、基本的にフロントライトユニット３０ａ及び３０ｂの両方を消灯する。よって、図２を参照して説明したように、観察者４０は外光による反射表示により液晶表示装置１の表示画像を見ることができる。
【００２９】
但し、例えば表示ユニット６２を閉じてから所定時間内などの所定の状態では、フロントライトユニット３０ａ又は３０ｂを点灯させることにより、明るい表示を行うことができる。即ち、先に説明したように、フロントライトユニット３０ａを点灯させれば明るい透過表示を行うことができ、フロントライトユニット３０ｂを点灯させれば明るい反射表示を行うことができる。表示ユニット６２を閉じた状態で原則としてフロントライトユニット３０ａ及び３０ｂの双方を消灯する理由は、一般的にこの状態は携帯電話の不使用状態であることが多いので、フロントライトユニット３０ａ又は３０ｂの点灯による電力消費を防止することが好ましいからである。よって、表示ユニット６２を閉じてから所定時間内、又は、利用者が特定のボタン操作などを行った場合にのみフロントライトユニット３０ａ又は３０ｂの一方を点灯して明るい表示を行えばよい。
【００３０】
一方、図３（ｂ）に示すように、表示ユニット６２を開いた通常使用状態では、フロントライトユニット３０ａを点灯し、明るい透過表示を行う。これにより、利用者は通常使用状態において、明るい表示画像を見ながら必要な操作を行うことができる。
【００３１】
［第２実施形態］
次に、本発明の第２実施形態について説明する。図５に第２実施形態に係る液晶表示装置２の外観を示し、図６にそのＹ−Ｙ’断面における断面図を示す。第２実施形態に係る液晶表示装置２は、一方のフロントライトユニット３１ａを他方のフロントライトユニット３１ｂよりも小型とした点が第１実施形態と異なるが、その他の点は基本的に第１実施形態と同様である。即ち、液晶表示装置２は、液晶表示パネル１０を小型のフロントライトユニット３１ａと、通常サイズのフロントライトユニット３１ｂにより挟んで構成する。なお、小型のフロントライトユニット３１ａのサイズ、及び、液晶表示装置１０の外面における位置は、当該液晶表示装置１０を搭載する電子機器に応じて任意に決定することができる。
【００３２】
液晶表示装置２の表示原理も、基本的に第１実施形態と同様である。即ち、図６において、観察者４０は、フロントライトユニット３１ｂを点灯したときの明るい透過表示（経路Ｌ１参照）、フロントライトユニット３１ａを点灯したときの明るい反射表示（経路Ｌ２参照）、及び、フロントライトユニット３１ａ及び３１ｂをともに消灯したときの通常の透過表示（経路Ｌ３参照）のいずれかにより表示画像を見ることができる。但し、フロントライトユニット３１ａは液晶表示パネル１０の全表示領域よりも照明面積が小さいので、フロントライトユニット３１ａを点灯した際に明るい反射表示を行うことができるのは、基本的にはフロントライトユニット３１ａの照明領域に限られる。
【００３３】
一方、フロントライトユニット３１ａを点灯することにより、観察者４１は明るい透過表示を見ることができる。この場合も、フロントライトユニット３１ａは液晶表示パネル１０の全表示領域よりも照明面積が小さいので、フロントライトユニット３１ａを点灯した際に明るい透過表示を行うことができるのは、基本的にはフロントライトユニット３１ａの照明領域に限られる。
【００３４】
図７に、第２実施形態の液晶表示装置２を適用した両面表示型携帯電話の例を示す。図７（ａ）は折り畳み状態を示し、図７（ｂ）は通常使用状態を示す。携帯電話７０の筐体の構造は基本的に第１実施形態における携帯電話６０と同様であり、本体７１に対して表示ユニット７２が取り付けられている。小型のフロントライトユニット３１ａが表示ユニット７２の外面側に位置し、通常サイズのフロントライトユニット３１ｂが表示ユニット７２の内面側に位置するように、液晶表示装置２が表示ユニット７２内に収容される。
【００３５】
但し、この場合、図５に示す液晶表示装置２を使用すると、図７（ｂ）に示す通常使用状態では、フロントライトユニット３１ａによる照明領域が小さいので、表示画像の周辺領域の明るさが不足することとなる。そこで、図８に示すように、小型のフロントライトユニット３１ａの周囲を囲むように、補助用のフロントライトユニット３２を設けることができる。これにより、図７（ｂ）に示す通常表示状態では、フロントライトユニット３１ａ及び３２を点灯させることにより、全表示領域で明るい透過表示を行うことができる。
【００３６】
一方、図７（ａ）に示す折り畳み状態で、明るい表示を行いたい場合には、小型のフロントライトユニット３１ａのみを点灯して明るい反射表示を行うことができる。この場合には、補助フロントライトユニット３２を点灯させる必要はない。よって、表示ユニット７２を閉じた状態で明るい表示を行うためには、通常サイズのフロントライトユニット３１ｂを点灯させて明るい透過表示を行うよりも、消費電力が低く、無駄がない表示方法となる。即ち、図８に示すような補助フロントライトユニット３２を利用すれば、フロントライトユニット３１ａと３２とを独立に点灯制御することにより、いずれの状態においても低消費電力で明るい表示を行うことが可能となる。
【００３７】
［表示画像制御］
次に、上記の液晶表示装置１、２及び２ａにおける表示画像の制御について説明する。図９は、上記の液晶表示装置を適用した電子機器の回路構成を示す概略ブロック図である。ここに示す電子機器は、上記の液晶表示装置１、２又は２ａを構成する液晶表示パネル１０と、これを制御する制御手段４１０を有する。ここでは、液晶表示パネル１０を、パネル構造体４００Ａと、半導体ＩＣなどで構成される駆動回路４００Ｂとに概念的に分けて描いてある。また、制御手段４１０は、表示情報出力源４１１と、表示情報処理回路４１２と、電源回路４１３と、タイミングジェネレータ４１４と、を有する。
【００３８】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示画像データを表示情報処理回路４１２に供給するように構成されている。
【００３９】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その表示画像データＤＡＴをクロック信号ＣＬＫとともに駆動回路４００Ｂへ供給する。駆動回路４００Ｂは、走査線駆動回路、データ線駆動回路及び検査回路を含む。また、電源回路４１３は、上述の各構成要素にそれぞれ所定の電圧を供給する。
【００４０】
上記の液晶表示装置においては、前述のように、表示画像を両面から見ることが可能である。よって、例えば図３（ｂ）に示す通常表示状態においてフロントライトユニット３０ｂ側から表示画像が正常に見えるように表示画像データＤＡＴを駆動回路４００Ｂに供給した場合、図３（ａ）に示す折り畳み状態で同じ表示画像データＤＡＴをフロントライトユニット３０ａ側から見ると、表示画像は反転して見えてしまうことになる。そこで、表示ユニット６２の状態を検出する状態検出部５１０を設け、その検出結果を制御信号Ｓとして表示情報処理回路４１２へ供給する。表示情報処理回路４１２は、制御信号Ｓに応じて、表示画像データＤＡＴをそのまま、又は、反転して駆動回路４００Ｂへ供給する。状態検出部５１０は、例えば表示ユニット６２を閉じた状態にあるときに接触し、開いた状態にあるときに非接触となる電気的検出スイッチなどにより構成することができる。
【００４１】
具体的には、表示ユニット６２が図３（ｂ）に示す通常使用状態にあることを状態検出部５１０が検出したときは、表示情報処理回路は図１０（ａ）に示す表示画像（中央に三角形を含む表示画像）をそのまま駆動回路４００Ｂへ供給する。一方、表示ユニット６２が図３（ａ）に示す折り畳み状態にあることを状態検出部５１が検出したときは、表示情報処理回路４１２は表示画像データを図１０（ｂ）に示すように中心線Ｃを軸として反転して駆動回路４００Ｂへ供給する。これにより、利用者はいずれの状態においても、正しい向きの表示画像を見ることが可能となる。
【図面の簡単な説明】
【００４２】
【図１】本発明の第１実施形態に係る液晶表示装置の分解斜視図である。
【図２】第１実施形態に係る液晶表示装置の断面図である。
【図３】第１実施形態に係る液晶表示装置を適用した電子機器の例を示す。
【図４】図３に示す電子機器のフロントライトユニットの点灯制御例を示す。
【図５】本発明の第２実施形態に係る液晶表示装置の分解斜視図である。
【図６】第２実施形態に係る液晶表示装置の断面図である。
【図７】第２実施形態に係る液晶表示装置を適用した電子機器の例を示す。
【図８】第２実施形態に係る液晶表示装置の変形例の断面図である。
【図９】本発明を適用した電子機器の回路構成図である。
【図１０】本発明を適用した電子機器における表示画像データの反転処理を示す。
【符号の説明】
【００４３】
１、２、２ａ  液晶表示装置、１０  液晶表示パネル、  １１、１２  透明基板、
１４  反射膜、  １５  開口、  １７、１８  偏光板、  １９  液晶、
３０、３１、３２  フロントライトユニット、  ６０、７０  携帯電話、
６１、７１  本体、  ６２、７２  表示ユニット
【図１】
2005092046.tif 000003
【図２】
2005092046.tif 000004
【図３】
2005092046.tif 000005
【図４】
2005092046.tif 000006
【図５】
2005092046.tif 000007
【図６】
2005092046.tif 000008
【図７】
2005092046.tif 000009
【図８】
2005092046.tif 000010
【図９】
2005092046.tif 000011
【図１０】
2005092046.tif 000012